(57)【特許請求の範囲】
【請求項１】
光線を発するバックライトを含む液晶表示装置であって、更に、
第１トリアセテートセルロース(triacetate cellulose、TAC)膜と、第１ポリビニルアルコール(Polyvinyl Alcohol、PVA)膜と、第１単光軸位相補償膜と、液晶層と、第２単光軸位相補償膜と、第２PVA膜、及び、第２TAC膜を含み、
前記第１単光軸位相補償膜は、前記第１単光軸位相補償膜の厚さの調整及び前記光線の第１方向、第２方向及び第３方向においてそれぞれ対応する第１屈折率、第２屈折率及び第３屈折率の調整により、第１補償値及び第２補償値を提供し、
前記第２単光軸位相補償膜は、前記第２単光軸位相補償膜の厚さの調整及び調整前記光線の前記第１方向、前記第２方向及び前記第３方向においてそれぞれ対応する第４屈折率、第５屈折率及び第６屈折率の調整により、第３補償値を提供し、
前記液晶表示装置は、前記第１補償値、前記第２補償値及び前記第３補償値に基づいて暗状態における大視野角の光漏れを制御し、
前記第１補償値は、
0006511526.tif 000004
により決定され、
ここで、RoAは前記第１補償値を表し、 NxA、NyAはそれぞれ前記第１単光軸位相補償膜のデカルト座標系のX、Y軸において対応する屈折率を表し、DAは前記第１単光軸位相補償膜の厚さを表し、
前記液晶層の(ne-no)×dにより決定される光路差は、２８７.２〜３０５.７ nmであり、
ここで、neとnoはそれぞれ前記液晶層の異常光の屈折率と通常光の屈折率を表し、dは前記液晶層の厚さを表し、
前記第１単光軸位相補償膜の第１補償値は５５〜７５ nmであり、前記第１単光軸位相補償膜の第２補償値は２０８〜２８１ nmであり、前記第２単光軸位相補償膜の第３補償値はY１nm〜Y２nmであり、Y１=０.０００１９３x３-０.１３９５x２ + ３２.４３４x-２３８７.４及びY２=-０.００７２４２x２ + ２.３７８x -６７.８４であり、
ここで、xは前記第２補償値を表し、
前記第１単光軸位相補償膜は、A型補償膜であり、前記第１単光軸位相補償膜の光軸は、表面に平行し、前記第２単光軸位相補償膜は、C型補償膜であり、前記第２単光軸位相補償膜の光軸は、表面に垂直する
ことを特徴とする液晶表示装置。
【請求項２】
前記第２補償値は、 
0006511526.tif 000005
により決定され、
ここで、RthAは前記第２補償値を表し、 NxA、NyA、NzAはそれぞれ前記第１単光軸位相補償膜のデカルト座標系のX、Y、Z軸において対応する屈折率を表し、DAは前記第１単光軸位相補償膜の厚さを表す、
ことを特徴とする請求項１に記載の液晶表示装置。
【請求項３】
前記液晶層の液晶分子のプレチルト角(pretilt angle)は８９度である、ことを特徴とする請求項１に記載の液晶表示装置。
【請求項４】
前記第３補償値は、前記第４屈折率と、前記第５屈折率と、前記第６屈折率及び前記第２単光軸位相補償膜の厚さにより決定される、ことを特徴とする請求項１に記載の液晶表示装置。
【請求項５】
前記液晶表示装置は、さらに第１感圧接着剤を含み、前記第１感圧接着剤は、前記第１単光軸位相補償膜と前記液晶層との間に設けられる、ことを特徴とする請求項１に記載の液晶表示装置。
【請求項６】
前記液晶表示装置は、さらに第２感圧接着剤を含み、前記第２感圧接着剤は、前記第２単光軸位相補償膜と前記液晶層との間に設けられる、ことを特徴とする請求項５に記載の液晶表示装置。
【請求項７】
光線を発するバックライトを含む液晶表示装置であって、更に、
第１トリアセテートセルロース(triacetate cellulose、TAC)膜と、第１ポリビニルアルコール(Polyvinyl Alcohol、PVA)膜と、第１単光軸位相補償膜と、液晶層と、第２単光軸位相補償膜と、第２PVA膜、及び、第２TAC膜を含み、
前記第１単光軸位相補償膜は、前記第１単光軸位相補償膜の厚さ調整及び前記光線の第１方向、第２方向及び第３方向においてそれぞれ対応する第１屈折率、第２屈折率及び第３屈折率の調整により、第１補償値及び第２補償値を提供し、
前記第２単光軸位相補償膜は、前記第２単光軸位相補償膜の厚さの調整及び前記光線の前記第１方向、前記第２方向及び前記第３方向においてそれぞれ対応する第４屈折率、第５屈折率及び第６屈折率の調整により、第３補償値を提供し、
前記液晶表示装置は、前記第１補償値、前記第２補償値及び前記第３補償値に基いて、暗状態における大視野角の光漏れを制御し、
前記第１補償値は、 
0006511526.tif 000006
により決定され、
ここで、RoAは前記第１補償値を表し、 NxA、NyAはそれぞれ前記第１単光軸位相補償膜のデカルト座標系のX、Y軸において対応する屈折率を表し、 DAは前記第１単光軸位相補償膜の厚さを表し、
前記第１単光軸位相補償膜の第１補償値は、５５〜７５ nmであり、
前記第１単光軸位相補償膜は、A型補償膜であり、前記第１単光軸位相補償膜の光軸は表面に平行し、前記第２単光軸位相補償膜はC型補償膜であり、前記第２単光軸位相補償膜の光軸は、表面に垂直する、ことを特徴とする液晶表示装置。
【請求項８】
前記液晶層の(ne-no)×dにより決定される光路差は、２８７.２〜３０５.７ nmであり、
ここで、neとnoはそれぞれ前記液晶層の異常光屈折率と通常光屈折率を表し、dは前記液晶層の厚さを表す、
ことを特徴とする請求項７に記載の液晶表示装置。
【請求項９】
前記第２補償値は、 
0006511526.tif 000007
により決定され、
ここで、RthAは前記第２補償値を表し、 NxA、NyA、NzAはそれぞれ前記第１単光軸位相補償膜のデカルト座標系のX、Y、Z軸において対応する屈折率を表し、DAは前記第１単光軸位相補償膜の厚さを表す、
ことを特徴とする請求項７に記載の液晶表示装置。
【請求項１０】
前記第１単光軸位相補償膜の第２補償値が２０８〜２８１ nmである、ことを特徴とする請求項７に記載の液晶表示装置。
【請求項１１】
前記液晶層の液晶分子のプレチルト角(pretilt angle)が８９度である、ことを特徴とする請求項７に記載の液晶表示装置。
【請求項１２】
前記第３補償値は、前記第４屈折率と、前記第５屈折率と、前記第６屈折率及び前記第２単光軸位相補償膜の厚さにより决定される、ことを特徴とする請求項１に記載の液晶表示装置。
【請求項１３】
前記第２単光軸位相補償膜の第３補償値は、Y１nm〜Y２nmであり、Y１=０.０００１９３x３-０.１３９５x２+３２.４３４x-２３８７.４及びY２=-０.００７２４２x２+２.３７８x -６７.８４であり、
ここで、xは前記第２補償値を表す、
ことを特徴とする請求項１２に記載の液晶表示装置。
【請求項１４】
前記液晶表示装置は、さらに第１感圧接着剤を含み、前記第１感圧接着剤は、前記第１単光軸位相補償膜と前記液晶層との間に設けられる、ことを特徴とする請求項７に記載の液晶表示装置。
【請求項１５】
前記液晶表示装置は、さらに第２感圧接着剤を含み、前記第２感圧接着剤は、前記第２単光軸位相補償膜と前記液晶層との間に設けられる、ことを特徴とする請求項１４に記載の液晶表示装置。
【発明の詳細な説明】
【技術分野】
【０００１】
本発明は液晶表示装置に関し、特に単光軸位相補償膜を用いる液晶表示装置。
【背景技術】
【０００２】
近年、液晶表示装置の軽薄でサイズが小さい特性により、液晶表示装置が主に使用される表示装置になっている。目前、市販される各種の電子装置、例えば、携帯電話、PDA、ディジタルカメラ、パソコンのスクリーン、ノートブック型パソコンのスクリーン等のほとんどは、液晶表示スクリーンをそのスクリーンとして採用している。
【０００３】
液晶表示装置は液晶層を含み、該液晶層に印加する電場の変化により、該液晶層中の液晶分子の回転方向を変化し、該液晶層を通過する光の透過率を調整する。液晶材料は、複屈折の特性を有し、分子の長軸方向と分子の短軸方向に沿う屈折率もお互いに異なる。従って、直線偏光の入射光は、液晶層の異なる経路を経過するので、その偏光方向において異なる位相を有するため、傾いた視野角と正面視野角での色彩特性と透過率は異なる。
【０００４】
液晶層中の液晶分子の複屈折率が観察角度の変化によって変化するため、液晶表示装置の観察角度の増大に伴い、画面のコントラストが減少し、画面の明瞭度が低下する。一定の視野角内において画面のコントラストを大幅に高め、暗状態での画面の光漏れを有効に低減させるために、従来技術では、液晶パネルに補償膜を貼り付けることを提案している。該補償膜は、異なる方向における光の位相差を補償することにより修正を行ない、液晶分子の複屈折の性質が対称的に補償される。
【０００５】
図１と図２を参照すると、図１は、従来の単光軸性位相差膜で補償した後の暗状態での光漏れの分布模式図であり、図２は、単光軸性位相差膜で補償した後の全視野角のコントラストの分布模式図である。図１と図２において液晶光路差をΔn×dと２９６.５nmし、A型補償膜の補償値Roを５８nmとし、補償値Rthを２２０nmし、C型補償膜の補償値Rthを１６nmとする。図１と図２に示したように、上述の条件で、水平視野角において暗状態での光漏れがまだ深刻である。一般に、水平視野領域はより容易に観覧者に見られ、水平視野角におけるコントラストおよび明瞭度は、観覧効果に大きい影響を及ぼす。反対に、垂直視野角領域は容易に見られないため、観覧者に及ぼす影響が少ない。
【０００６】
従って、暗状態での光漏れ領域を、非水平視野角の領域でない、垂直視野角付近の領域に限定する必要がある。
【発明の概要】
【発明が解決しようとする課題】
【０００７】
本発明の目的は、単光軸位相補償膜を用いる液晶表示装置を提供することであり、前記液晶表示装置は、単光軸位相補償膜の厚さ又は屈折率を調整することで、その補償値を調整し、これにより、単光軸位相補償膜を用いる液晶表示装置が、暗状態での光漏れ領域を垂直視野角区域に限定することができる。
【０００８】
本発明は液晶表示装置に関し、前記液晶表示装置は、第１トリアセテートセルロース(triacetate cellulose、TAC)膜と、第１ポリビニルアルコール(Polyvinyl Alcohol、PVA)膜と、第１単光軸位相補償膜と、液晶層と、第２単光軸位相補償膜と、第２PVA膜、及び、第２TAC膜を含み、前記第１単光軸位相補償膜は、前記第１単光軸位相補償膜の厚さの調整及び前記光線の第１方向、第２方向及び第３方向においてそれぞれ対応する第１屈折率、第２屈折率及び第３屈折率の調整により、第１補償値及び一第2補償値を提供し、前記第2単光軸位相補償膜は、前記第２単光軸位相補償膜の厚さの調整及び前記光線の前記第１方向、前記第２方向及び前記第３方向においてそれぞれ対応する第４屈折率、第５屈折率及び第６屈折率の調整により、第３補償値を提供する。前記第１補償値は、
0006511526.tif 000002
により決定され、RoAは前記第１補償値を表し、 NxA、NyAはそれぞれ前記第１単光軸位相補償膜のデカルト座標系のX、Y軸において対応する屈折率を表し、DAは前記第１単光軸位相補償膜の厚さを表し、前記第１単光軸位相補償膜の第１補償値は５５〜７５ nmである。
【０００９】
本発明の一実施例において、前記液晶層の(ne-no)×dにより決定される光路差は２８７.２〜３０５.７ nmであり、neとnoはそれぞれ前記液晶層の異常光の屈折率と通常光の屈折率を表し、dは前記液晶層の厚さを表す。
【００１０】
本発明の一実施例において、第２補償値は、前記第１屈折率、前記第２屈折率、前記第３屈折率と前記第１単光軸位相補償膜の厚さにより決定される。
【００１１】
本発明の一実施例において、前記第１単光軸位相補償膜の第２補償値は２０８〜２８１ nmである。
【００１２】
本発明の一実施例において、前記液晶の液晶分子のプレチルト角(pretilt angle)は８９度である。
【００１３】
本発明の一実施例において、前記第３補償値は、前記第４屈折率、前記第５屈折率、前記第６屈折率と前記第３単光軸位相補償膜の厚さにより決定される。
【００１４】
本発明の一実施例において、前記第３単光軸位相補償膜の第３補償値はY１ nm〜Y２ nmであり、Y１=０.０００１９３x３-０.１３９５x２ + ３２.４３４x-２３８７.４及びY２=-０.００７２４２x２ + ２.３７８x -６７.８４であり、xは前記第２補償値を表す。
【００１５】
本発明の一実施例において、前記第１単光軸位相補償膜は、A型補償膜であり、前記第１単光軸位相補償膜の光軸は表面に平行し、前記第２単光軸位相補償膜はC型補償膜であり、前記第２単光軸位相補償膜の光軸は表面に垂直する。
【００１６】
本発明の一実施例において、前記液晶表示装置は、さらに、第１感圧接着剤を含み、前記第１感圧接着剤は、前記第１単光軸位相補償膜と前記液晶層との間に設置される。
【００１７】
本発明の一実施例において、前記液晶表示装置は、さらに、第２感圧接着剤を含み、前記第２感圧接着剤は、前記第２単光軸位相補償膜と前記液晶層との間に設置される。
【００１８】
従来技術に比較すると、本発明の単光軸位相補償膜を用いる液晶表示装置において、液晶層の光路差が２８７.２ nm〜３０５.７ nm（波長=５５０nmに対応する光路差）で、且つ液晶層の液晶分子のプレチルト角が８９度である時に、第１単光軸位相補償膜の第１補償値RoAを５５〜７５ nm範囲内に制御し、且つ第２補償値Rthbを２０８〜２８１ nm範囲内に制御し、且つ前記第２単光軸位相補償膜の第３補償値がY１ nm〜Y２ nmであることで、適切な１補償値RoA 、第２補償値Rthb及び第３補償値RthCを得えることができる。ここで、Y１=０.０００１９３x３-０.１３９５x２ + ３２.４３４x-２３８７.４及びY２=-０.００７２４２x２ + ２.３７８x -６７.８４であり、xは前記第２補償値を表す。本発明は、第１単光軸位相補償膜の第１補償値RoA、第２補償値RthA及び第２単光軸位相補償膜の第３補償値RthCを合理的に設定することで、従来の単光軸位相補償膜の補償による水平視野角区域における暗状態での深刻な光漏れの問題を改善し、水平視野角区域におけるコントラストと明瞭度を増加することができる。
【００１９】
本発明の内容を更に分かりやすくするために、以下では、好ましい実施例を、図面を参照しながら詳細に説明する。
【図面の簡単な説明】
【００２０】
【図１】従来の単光軸位相補償膜により補償した後の暗状態での光漏れの分布シミュレーション図である。
【図２】前記単光軸位相補償膜により補償した後の全視野角コントラストの分布シミュレーション図である。
【図３】本発明の液晶表示装置の好ましい実施例の模式図である。
【図４】液晶層の光路差が２８７.２ nmの条件で、異なる第１単光軸位相補償膜の第１補償値RoA及び第３補償値RthA、第３単光軸位相補償膜の第３補償値RthCと、光漏れ値との関係図である。
【図５】液晶層の光路差が２９６.５nmの条件で、異なる第１単光軸位相補償膜の第１補償値RoA及び第２補償値RthA、第２単光軸位相補償膜の第３補償値RthCと、光漏れ値との関係図である。
【図６】液晶層の光路差が３０５.７ nmの条件で、異なる第１単光軸位相補償膜の第１補償値RoA及び第２補償値RthA、第２単光軸位相補償膜の第３補償値RthCと、光漏れ値との関係図である。
【図７】液晶光路差が２８７.２nmで、第１単光軸位相補償膜の第１補償値RoAが７１nmで、第２補償値RthAが２６９nmで、第２単光軸位相補償膜の第３補償値RthCが１６nmの条件で、暗状態での光漏れの分布図である。
【図８】液晶光路差が２８７.２nmで、第１単光軸位相補償膜の第１補償値RoAが７１nmで、第２補償値RthAが２６９nmであり、第２単光軸位相補償膜の第３補償値RthCが１６nmの条件で、全視野角コントラストの分布図である。
【図９】液晶光路差が２９６.５nmで、第１単光軸位相補償膜の第１補償値RoAが６５nmで、第２補償値RthAが２４４nmで、第２単光軸位相補償膜の第３補償値RthCが５２nmの条件で、暗状態での光漏れの分布図である。
【図１０】液晶光路差が２９６.５nmで、第１単光軸位相補償膜の第１補償値RoAが６５nmで、第２補償値RthAが２４４nmであり、第２単光軸位相補償膜の第３補償値RthCが５２nmの条件で、全視野角コントラストの分布図である。
【図１１】液晶光路差が３０５.７nmで、第１単光軸位相補償膜の第１補償値RoAが５８nmで、第２補償値RthAが２２０nmであり、第２単光軸位相補償膜の第３補償値RthCが８７nmの条件で、暗状態での光漏れの分布図である。
【図１２】液晶光路差が３０５.７nmで、第１単光軸位相補償膜の第１補償値RoAが５８nm、第２補償値RthAが２２０nmで、第２単光軸位相補償膜の第３補償値RthCが８７nmの条件で、全視野角コントラストの分布図である。
【発明を実施するための形態】
【００２１】
以下、図面を参照しながら本発明の実施可能な特定実施例について説明する。本発明において方向を表す用語、例えば、「上」、「下」、「前」、「後」、「左」、「右」、「頂」、「庭」、「水平」、「垂直」等は、図面における方向を示すだけである。よって、使用する方向用語は、本発明を説明及び理解するためのものであり、本発明を限定するものではない。
【００２２】
図３に示すように、図３は本発明の液晶表示装置１０の好ましい実施例の模式図である。液晶表示装置１０は、液晶層１６と、第１偏光子(polarizer)１２と、第２偏光子１４及びバックライト１８とを含む。バックライト１８は光線を発するに用いられ、液晶層１６は、感圧接着剤(pressure sensitive adhesive、PSA)２により第１偏光子１２と第２偏光子１４との間に粘着される。第１偏光子１２と第２偏光子１４は、入射光を屈折するに用いられ、且つ第１偏光子１２の第１光軸は、第２偏光子１４の第２光軸に垂直する。
【００２３】
第１偏光子１２は、第１トリアセテートセルロース(triacetate cellulose、TAC)膜１２２と第１単光軸位相補償膜１２３との間に挟まれている第１ポリビニルアルコール(Polyvinyl Alcohol、PVA)膜１２１を含む。第２偏光子１４は、第２単光軸位相補償膜１４２と第２TAC膜１４３との間に挟まれている第２ポリビニルアルコール膜１４１を含む。本実施例では、第１単光軸位相補償膜１２３は、A型補償膜 (A-plate)であり、その光軸は、補償膜１２３の表面に平行する。第２単光軸位相補償膜１４２は、C型補償膜(C-plate)であり 、その光軸は補償膜１４２の表面に垂直する。第１単光軸位相補償膜１２３は、第１補償値RoAと第３補償値RthAを提供し、第２単光軸位相補償膜１４２は、第３補償値RthCを提供する。第１単光軸位相補償膜１２３の遅相軸と第１PVA膜１２１の吸収軸の夾角は９０度であり、第２PVA膜１４１の吸収軸は０度である。以下、第１補償値、第２補償値及び第３補償値を決定する方法について説明する。以下の実施例では、液晶層１６の光路差と補償膜１２３、１４２の補償値は、ともに入射光の波長が５５０nmに対応する値である。
【００２４】
図４〜図６に示すように、図４〜図６は、それぞれ液晶層１６の光路差が２８７.２ nm、２９６.５nm及び３０５.７ nmの条件で、異なる第１単光軸位相補償膜１２３の第１補償値RoA及び第２補償値RthA、第２単光軸位相補償膜１４２の第３補償値RthCと光漏れ値との関係図である。説明をわかりやすくために、本実施例において、バックライト１８が射出する入射光はランバート分布に分布し、中心輝度は１００nitに定義される。液晶層１６の液晶分子のプレチルト角(pretilt angle)は８９度である。液晶層１６のΔn×dより决定される光路差は、２８７.２〜３０５.７ nmであり、ここで、Δn = ne-noであり、neとnoはそれぞれ液晶層１６の異常光屈折率と通常光屈折率を表し、dは液晶層１６の厚さを表す。
【００２５】
図４-図６に示すように、RoAは第１単光軸位相補償膜１２３のX-Y平面における第１補償値を表し、RthAは第１単光軸位相補償膜１２３のZ軸方向における第２補償値を表し、RthCは第２単光軸位相補償膜１４２のZ軸方向における第３補償値を表し、RoA、RthA、RthCは以下の数式により決定される。
0006511526.tif 000003
【００２６】
ここで、NxA、NyA、NzAはそれぞれバックライト１８からの光線が第１単光軸位相補償膜１２３を通過する時に、デカルト座標系のX、Y、Z軸において対応する屈折率を表し、NxC、NyC、NzCはそれぞれバックライト１８からの光線が第２単光軸位相補償膜１４２通過する時に、デカルト座標系のX、Y、Z軸において対応する屈折率を表し、DAとDCはそれぞれ第１単光軸位相補償膜１２３と第２単光軸位相補償膜１４２の厚さを表す。
【００２７】
図４〜図６から、異なる液晶光路差において、第１単光軸位相補償膜１２３と第２単光軸位相補償膜１４２の補償値の暗状態での光漏れに対する影響の傾向は類似することが分かる。即ち、異なる光路差において、暗状態での光漏れが最小であるどきに対応する補償値の範囲は同一である。
図４〜図６から、異なる液晶プレチルト角において異なる補償値を組み合わせてシミュレーションを行うと、プレチルト角が８９度で、２８７.２ nm≦Δn×d≦３０５.７ nmの範囲内において、暗状態での光漏れが０.３nit未満である時の第１単光軸位相補償膜１２３と第２単光軸位相補償膜１４２の対応する補償値範囲を算出することができる。換言すると、液晶層１６の光路差が２８７.２ nm〜３０５.７ nmであり、且つ液晶層１６の液晶分子のプレチルト角が８９度である条件で、液晶表示装置１０は、依然として第１単光軸位相補償膜１２３の第１補償値RoAと第２補償値RthA、及び第２単光軸位相補償膜１４２の第３補償値RthCにより、光漏れを抑えることができる。第１単光軸位相補償膜１２３の第１補償値RoAを５５から７８nmの間に制御し、第２補償値RthAを３０８から３８１nmの間に制御し、且つ第２補償値RthA、第２単光軸位相補償膜１４２の第３補償値RthCをさらに調整して第３補償値RthCがY１ nm〜Y２ nmになるようにする。ここで、Y１=０.０００１９３x３-０.１３９５x２ + ３２.４３４x-２３８７.４及びY２=-０.００７２４２x２ + ２.３７８x -６７.８４であり、xは第２補償値RthAを表す。
【００２８】
従って、第１単光軸位相補償膜１２３の第１補償値RoAと、第２補償値RthA及び第２単光軸位相補償膜１４２の第３補償値RthCはいずれも波長が５５０nmである入射光に対する補償値であり、補償値が前記範囲内である時に、液晶表示装置において最適な補償效果が得られ、最小の暗状態での光漏れになる。
【００２９】
図７と図１２に示すように、図７及び図８はそれぞれ液晶光路差が２８７.２nmであり、第１単光軸位相補償膜１２３の第１補償値RoAが７１nmであり、第２補償値RthAが２６９nm及び第２単光軸位相補償膜１４２の第３補償値RthCが１６nmの条件で、暗状態での光漏れの分布図及び全視野角のコントラスト分布図である。図９及び図１０は、それぞれ、本実施例における液晶光路差が２９６.５nmであり、第１単光軸位相補償膜１２３の第１補償値RoAが６５nmであり、第２補償値RthAが２４４nm及び第２単光軸位相補償膜１４２の第３補償値RthCが５２nmの条件で、暗状態での光漏れの分布図及び全視野角のコントラストの分布図である。図１１と図１２はそれぞれ本実施例における液晶光路差が３０５.７nmであり、第１単光軸位相補償膜１２３の第１補償値RoAが５８nmであり、第２補償値RthAが２２０nm及び第２単光軸位相補償膜１４２の第３補償値RthCが８７nm条件で、暗状態での光漏れの分布図及び全視野角のコントラストの分布図である。
【００３０】
図７、図９、図１１と図１を対比すると、本発明の実施例の液晶表示装置により補償した後の暗状態での光漏れは、従来、単光軸位相補償膜を使用して補償した後の暗状態での光漏れより低く、且つ暗状態での光漏れの補償は垂直視野角の付近に集まり、光漏れの範囲は比較的に小さい視野角の範囲内に集まっていることを直接観察することができる。図８、図１０、図１２と図２を対比すると、本発明の実施例の液晶表示装置により補償した後の全視野角のコントラストの分布も、従来の単光軸位相補償膜を使用して補償した後の全視野角のコントラストの分布より優れており、特に水平視野角区域におけるコントラストは有効に改善された。
【００３１】
当業者は、第１単光軸位相補償膜１２３の第１補償値RoA、第２補償値RthA及び第２単光軸位相補償膜１４２の第３補償値RthCを得てから、数式(１)〜数式(３)により、第１単光軸位相補償膜１２３と第２単光軸位相補償膜１４２の屈折率または厚さを調整することができる。
従来技術に比較すると、本発明は、第１単光軸位相補償膜１２３の第１補償値RoA、第２補償値RthA及び第２単光軸位相補償膜１４２の第３補償値RthCを合理的に設定することで、従来の単光軸位相補償膜の補償による水平視野角区域における深刻な暗状態での光漏れの問題を改善するとともに、水平視野角区域のコントラストと明瞭度を増加することができる。
【００３２】
上記により、本発明は好ましい実施例により開示されたが、上記の好ましい実施例は本発明を限定するものでなく、本発明の趣旨及び範囲を脱出しない限り、当業者であれば、様々な変更及び修飾を加えることができるため、本発明の保護範囲は、特許請求の範囲に基づくものである。
【図１】
0006511526.tif 000008
【図２】
0006511526.tif 000009
【図３】
0006511526.tif 000010
【図４】
0006511526.tif 000011
【図５】
0006511526.tif 000012
【図６】
0006511526.tif 000013
【図７】
0006511526.tif 000014
【図８】
0006511526.tif 000015
【図９】
0006511526.tif 000016
【図１０】
0006511526.tif 000017
【図１１】
0006511526.tif 000018
【図１２】
0006511526.tif 000019